(57)【要約】【課題】ジャケット式基礎が水中においてしめる空間を減少させることを主たる目的とする。【解決手段】筒状を有する多数本のレグと、これらレグを連結する連結部材１２と、前記レグ内に挿通される杭と、を具備するジャケット式基礎１００において、前記多数本のレグはすべて斜レグ１１ａとされ、かつこれら斜レグ１１ａの水底側の先端１１ａ’が上方から見て二方向に延在するとともに、隣り合う斜レグ１１ａ同士が互いに交差するように配置されていることを特徴とする。【選択図】　図１
2004044198.tif 000002
【特許請求の範囲】
【請求項１】
筒状を有する多数本のレグと、これらレグを連結する連結部材と、前記レグ内に挿通される杭と、を具備するジャケット式基礎において、
前記多数本のレグはすべて斜レグとされ、かつこれら斜レグの水底側の先端が上方から見て二方向に延在するとともに、隣り合う斜レグ同士が互いに交差するように配置されていることを特徴とするジャケット式基礎。
【請求項２】
筒状を有する多数本のレグと、これらレグを連結する連結部材と、前記レグ内に挿通される杭と、を具備するジャケット式基礎において、
前記多数本のレグはすべて斜レグとされ、かつこれら斜レグの水底側の先端が上方から見て概ね放射状に延在するとともに、全体として鼓形となるように配置されていることを特徴とするジャケット式基礎。
【請求項３】
筒状を有する多数本のレグと、これらレグを連結する連結部材と、前記レグ内に挿通される杭と、を具備するジャケット式基礎において、
前記多数本のレグはすべて斜レグとされているとともに、これら斜レグの水底側の先端が少なくとも上方から見て四方向に延在するように配置されていることを特徴とするジャケット式基礎。
【請求項４】
請求項３に記載のジャケット式基礎において、
隣り合う斜レグ同士が互いに交差するように配置されていることを特徴とするジャケット式基礎。
【請求項５】
筒状を有する多数本のレグと、これらレグを連結する連結部材と、前記レグ内に挿通される杭と、を具備するジャケット式基礎において、
前記多数本のレグは斜レグおよび鉛直レグからなるとともに、斜レグの水底側の先端が上方から見て放射状に延在するように配置されていることを特徴とするジャケット式基礎。
【請求項６】
筒状を有する多数本のレグと、これらレグを連結する連結部材と、前記レグ内に挿通される杭と、を具備するジャケット式基礎において、
前記多数本のレグは斜レグおよび鉛直レグからなるとともに、斜レグの水底側の先端が少なくとも上方から見て四方向に延在するように配置されていることを特徴とするジャケット式基礎。
【請求項７】
請求項１から６のいずれか一項に記載のジャケット式基礎において、
前記レグのそれぞれは、上方に位置する連結部材とその下方に位置する連結部材との間に不連続部が形成されていることを特徴とするジャケット式基礎。
【発明の詳細な説明】
【０００１】
【発明の属する技術分野】
本発明はジャケット式基礎に関し、特に水底地盤上に構築される橋梁基礎に用いるジャケット式基礎に関するものである。
【０００２】
【従来の技術】
図１３は水底地盤上に構築される橋梁等の基礎として用いられるジャケット式基礎１０を示す斜視図である。
ジャケット式基礎１０は、筒状を有する多数本のレグ１１と、これらレグ１１を連結する連結部材１２と、レグ１１内に挿通される杭１３とを主たる要素として構成されたものである。
なお、図１４は図１３を上方から見た図であり、レグ１１の配置状態を示す概略平面図である。図１４において連結部材１２は図示していない。
また、図中において符号１４は、ジャケット式基礎１０上に設けられたフーチングである。
【０００３】
図１３および図１４に示す従来例の場合、レグ１１は上方から見て四隅にそれぞれ配置された四本の斜レグ１１ａと、これら斜レグ１１ａの略中央部に配置された四本の鉛直レグ１１ｂとから構成されている。
斜レグ１１ａは、その水底側先端１１ａ’が上方から見て二方向、すなわち相反する方向（図１４において左右方向）に延在するように配置されている。
一方、鉛直レグ１１ｂは、四本の斜レグ１１ａの略中央部に位置して、鉛直下方（図１４において奥側）に延在するように配置されている。
【０００４】
これら斜レグ１１ａおよび鉛直レグ１１ｂ内にはそれぞれ、斜杭１３ａおよび鉛直杭１３ｂが挿通される。
そして、これら斜杭１３ａおよび鉛直杭１３ｂは、斜レグ１１ａおよび鉛直レグ１１ｂをガイドとして水底地盤（図示せず）に打設される。
【０００５】
【発明が解決しようとする課題】
ところで、上述した従来の斜レグ１１ａにおいては、図１４からわかるように斜レグ１１ａの水底側先端１１ａ’が、フーチング１４の外周縁１４ａの鉛直下方よりも外側に大きくはみ出してしまうため、ジャケット式基礎１０が水中において占める空間が大きくなり、たとえば航路を航行する船舶等の障害となってしまうおそれがあるといった問題点があった。
【０００６】
また、斜レグ１１ａの水底側先端１１ａ’が上方から見て二方向に延在するように配置されているため、これらの方向に対しては十分な水平強度を有しているが、これに直交する方向、すなわち図１４において上下方向に対しては十分な水平強度を得ることができない可能性があるといった問題点があった。
【０００７】
本発明は、上記の事情に鑑みてなされたもので、ジャケット式基礎が水中においてしめる空間を減少させることのできるジャケット式基礎を提供することを目的としている。
【０００８】
本発明の他の目的は、いろいろな方向に対する水平強度を向上させることのできるジャケット式基礎を提供することである。
【０００９】
【課題を解決するための手段】
本発明のジャケット式基礎では、上記課題を解決するため、以下の手段を採用した。
すなわち、請求項１記載のジャケット式基礎によれば、筒状を有する多数本のレグと、これらレグを連結する連結部材と、前記レグ内に挿通される杭と、を具備するジャケット式基礎において、前記多数本のレグはすべて斜レグとされ、かつこれら斜レグの水底側の先端が上方から見て二方向に延在するとともに、隣り合う斜レグ同士が互いに交差するように配置されていることを特徴とする。
【００１０】
このジャケット式基礎においては、正面から見て斜レグが×（クロス）形となるように配置されている。
すなわち、一方の斜レグの頭部の略真下近傍に他方の斜レグの水底側の先端が位置するようになっている。
【００１１】
請求項２記載のジャケット式基礎によれば、筒状を有する多数本のレグと、これらレグを連結する連結部材と、前記レグ内に挿通される杭と、を具備するジャケット式基礎において、前記多数本のレグはすべて斜レグとされ、かつこれら斜レグの水底側の先端が上方から見て概ね放射状に延在するとともに、全体として鼓形となるように配置されていることを特徴とする。
【００１２】
このジャケット式基礎においては、斜レグ全体で鼓形が形成されているとともに、これら斜レグの水底側の先端が上方から見て概ね放射状に延在するように構成されている。
すなわち、これら斜レグは、一の斜レグの頭部の略真下近傍に他の斜レグの水底側の先端が位置するとともに、斜レグの水底側の先端が上方から見て概ね放射状に向くように配置されている。
【００１３】
請求項３記載のジャケット式基礎によれば、筒状を有する多数本のレグと、これらレグを連結する連結部材と、前記レグ内に挿通される杭と、を具備するジャケット式基礎において、前記多数本のレグはすべて斜レグとされているとともに、これら斜レグの水底側の先端が少なくとも上方から見て四方向に延在するように配置されていることを特徴とする。
【００１４】
このジャケット式基礎においては、斜レグの水底側の先端が少なくとも上方から見て異なる四方向に向くように構成されている。
【００１５】
請求項４記載のジャケット式基礎によれば、請求項３に記載のジャケット式基礎において、隣り合う斜レグ同士が互いに交差するように配置されていることを特徴とする。
【００１６】
このジャケット式基礎においては、隣り合う斜レグ同士が互いに交差するように配置されており、この状態をこれら斜レグが延在する平面と直交する方向からから見ると、これらの斜レグによって×（クロス）形が形成されている。
すなわち、一方の斜レグの頭部の略真下近傍に他方の斜レグの水底側の先端が位置するようになっている。
【００１７】
請求項５記載のジャケット式基礎によれば、筒状を有する多数本のレグと、これらレグを連結する連結部材と、前記レグ内に挿通される杭と、を具備するジャケット式基礎において、前記多数本のレグは斜レグおよび鉛直レグからなるとともに、斜レグの水底側の先端が上方から見て放射状に延在するように配置されていることを特徴とする。
【００１８】
このジャケット式基礎においては、斜レグの水底側の先端が上方から見て放射状に向くように構成されているとともに、これら斜レグに加えてさらに鉛直レグが具備されている。
【００１９】
請求項６記載のジャケット式基礎によれば、筒状を有する多数本のレグと、これらレグを連結する連結部材と、前記レグ内に挿通される杭と、を具備するジャケット式基礎において、前記多数本のレグは斜レグおよび鉛直レグからなるとともに、斜レグの水底側の先端が少なくとも上方から見て四方向に延在するように配置されていることを特徴とする。
【００２０】
このジャケット式基礎においては、斜レグの水底側の先端が少なくとも上方から見て異なる四方向に向くように構成されているとともに、これら斜レグに加えてさらに鉛直レグが具備されている。
【００２１】
請求項７記載のジャケット式基礎によれば、請求項１から６のいずれか一項に記載のジャケット式基礎において、前記レグのそれぞれは、上方に位置する連結部材とその下方に位置する連結部材との間に不連続部が形成されていることを特徴とする。
【００２２】
このジャケット式基礎においては、各レグは一本の筒状を有するものではなく、この一本の筒状のものが長手方向軸線に対して直交する方向に沿って、いくつかに分割されたような構成とされている。
すなわち、連結部材と連結される部分にのみレグが存在し、それ以外の部分のレグは省略されることとなる。
したがって、レグが存在しない不連続部では杭が露出していることとなる。
【００２３】
【発明の実施の形態】
以下、本発明の一実施の形態について、図１および図２を参照しながら説明する。なお、従来と同一の部材には同一の符号を付すこととし、各構成部材についての説明は省略する。
図１は本発明によるジャケット式基礎１００を示す斜視図である。また、図２は図１４と同様の図であって、レグ１１の配置状態を示す概略平面図である。
【００２４】
図１に示すように、ジャケット式基礎１００は、たとえば四本の斜レグ１１ａと、これら斜レグ１１ａの下端部を連結する連結部材１２と、斜レグ１１ａ内をそれぞれ挿通する四本の斜杭１３ａと、を具備するものである。
図１および図２からわかるように、この実施形態においてはレグ１１はすべて斜レグ１１ａとされ、図１３および図１４に示した鉛直レグ１１ｂおよび鉛直杭１３ｂは省略されている。
また、これら斜レグ１１ａの水底側先端１１ａ’が上方から見て二方向、すなわち相反する方向（図２において左右方向）に延在するとともに、隣り合う斜レグ１１ａ同士が互いに交差するように配置されている。
すなわち、四本の斜レグ１１ａのうちの二本が、フーチング１４の一側部から他側部下方に延びるとともに、残りの二本が、フーチング１４の他側部から一側部下方に延びて、正面から見ると斜レグ１１ａが×（クロス）形になり、上方から見ると斜レグ１１ａの頭部１１ａ”が千鳥状になるように配置されている。
【００２５】
斜レグ１１ａをこのように配置することにより、図２に示すように斜レグ１１ａの水底側先端１１ａ’が、フーチング１４の外周縁１４ａの鉛直下方よりも外側に大きくはみ出すことがなくなるので、ジャケット式基礎１００が水中においてしめる空間を減少させることができる。
したがって、水中にあるレグが、たとえば航路を航行する船舶等の障害となってしまうことを回避することができる。
【００２６】
図３に示すジャケット式基礎２００は、図１および図２に示すジャケット式基礎１００からフーチング１４を省略したものである。
この実施形態の場合、斜レグ１１ａの頭部１１ａ”に直接橋梁等がかけられることとなる。
このように、フーチング１４はジャケット式基礎に必須のものではなく、図３に示すように省略することもできる。このことは以下に説明するジャケット式基礎についてももちろん適用可能である。
【００２７】
フーチング１４を省略することにより、ジャケット式基礎２００の構造を簡略化および軽量化することができるとともに、コストを大幅に削減することができる。
【００２８】
図４は本発明によるジャケット式基礎３００の別の実施形態を示す斜視図である。また、図５は図１４と同様の図であって、レグ１１の配置状態を示す概略平面図である。図５の場合、下方に位置する連結部材１２については図示している。
【００２９】
図４に示すように、ジャケット式基礎３００は、たとえば八本の斜レグ１１ａと、これら斜レグ１１ａの略中央部と下端部をそれぞれ連結するリング状の連結部材１２’および棒状の連結部材１２と、斜レグ１１ａ内をそれぞれ挿通する八本の斜杭１３ａと、を具備するものである。
図４および図５からわかるように、この実施形態においてはレグ１１はすべて斜レグ１１ａとされている。
また、これら斜レグ１１ａの水底側先端１１ａ’は上方から見て概ね放射状に延びるように配置されている。
すなわち隣接する斜レグ１１ａの頭部１１ａ”同士を直線でつなぐことにより正八角形が描かれるとともに、隣接する斜レグ１１ａの水底側先端１１ａ’同士を直線でつなぐことにより正八角形が描かれるように、斜レグ１１ａが配置されており、全体として鼓形が形成されるようになっている。
言い換えれば、八本の斜レグ１１ａが、各斜レグ１１ｂの略中央部に設けられた連結部材１２’で束ねられるとともに、上方から見て斜レグ１１ａの頭部１１ａ”および水底側先端１１ａ’がそれぞれ正八角形を形成するように配置されている。
【００３０】
斜レグ１１ａをこのように鼓形に配置することにより、ジャケット式基礎３００が水中においてしめる空間を減少させることができる。
したがって、水中にあるレグが、たとえば航路を航行する船舶等の障害となってしまうことを回避することができる。
また、斜レグ１１ａが上方から見て八方向に延びているため、いろいろな方向に対して水平強度を有することとなり、より安定した基礎を実現することができる。
【００３１】
図６に示すジャケット式基礎４００は、図１および図２に示すジャケット式基礎１００を大型化して、より大きな橋梁等を支えるための一例である。
図６は図１４と同様の図であって、レグ１１の配置状態を示す概略平面図である。
ジャケット式基礎４００は、図１および図２に示す斜レグ１１ａを横方向に三列配置したものである。
【００３２】
斜レグ１１ａをこのように配置することにより、図６に示すように斜レグ１１ａの水底側先端１１ａ’が、フーチング１４の外周縁１４ａの鉛直下方よりも外側に大きくはみ出すことがなくなるので、ジャケット式基礎４００が水中においてしめる空間を減少させることができる。
したがって、水中にあるレグが、たとえば航路を航行する船舶等の障害となってしまうことを回避することができる。
また、斜レグ１１ａおよび斜杭１１ｂの本数が図１および図２に示す実施形態のものの三倍とされているため、図１および図２のもので支持し得るものよりもさらに大きな構造物を支持することができるとともに、ジャケット式基礎４００の水平強度を大幅に向上させることができる。
【００３３】
図７に示すジャケット式基礎５００は、図１３および図１４に示すジャケット式基礎１０の鉛直レグ１１ｂを斜レグ１１ａに置き換えたものである。
すなわち、これら斜レグ１１ａの水底側先端１１ａ’が上方から見て四方向（図７において上下左右）、すなわち９０゜間隔に延在するように配置されている。
【００３４】
斜レグ１１ａをこのように配置することにより、いろいろな方向に対して水平強度を有することとなり、より安定した基礎を実現することができる。
【００３５】
一方、図７に示すジャケット式基礎５００の斜レグ１１ａの水底側先端１１ａ’がフーチング１４の外周縁１４ａの鉛直下方よりも外側に大きくはみ出すことを避けるため、斜レグ１１ａを図８に示すように配置することもできる。
すなわち、図１および図２に示すもの同様、斜レグ１１ａの頭部１１ａ”がフーチング１４の一側部に位置するとともに、斜レグ１１ａの水底側先端１１ａ’がフーチング１４の他側部下方に延びて、正面および側面から見ると斜レグ１１ａが×（クロス）形になり、上方から見ると斜レグ１１ａの頭部１１ａ”が千鳥状になるように配置されている。
【００３６】
斜レグ１１ａをこのように配置することにより、斜レグ１１ａの水底側先端１１ａ’が、フーチング１４の外周縁１４ａの鉛直下方よりも外側に大きくはみ出すことがなくなるので、ジャケット式基礎６００が水中においてしめる空間を減少させることができる。
したがって、水中にあるレグが、たとえば航路を航行する船舶等の障害となってしまうことを回避することができる。
また、斜レグ１１ａが上方から見て四方向に延びているため、いろいろな方向に対して水平強度を有することとなり、より安定した基礎を実現することができる。
【００３７】
図９に示すジャケット式基礎７００は、図１３および図１４に示すジャケット式基礎１０の斜レグ１１ｂの延在方向を二方向から四方向に向くようにしたものである。
すなわち、これら四本の斜レグ１１ａの水底側先端１１ａ’が上方から見て四方向（図９において左上、右上、右下、左下）、すなわち９０゜間隔に延在するように配置されている。
【００３８】
斜レグ１１ａをこのように配置することにより、いろいろな方向に対して水平強度を有することとなり、より安定した基礎を実現することができる。
【００３９】
図１０は本発明によるジャケット式基礎８００を示す図で、図１４と同様の図であり、レグ１１の配置状態を示す概略平面図である。
ジャケット式基礎８００は、平面視形状が円形とされたフーチング１４’と、たとえば八本の斜レグ１１ａと、を主たる要素として構成されたものである。
図１０に示すように、これら斜レグ１１ａの水底側先端１１ａ’は、上方から見て放射状、すなわち半径方向外側（図１０において中心側から外側）に延在するように配置されている。
すなわち、隣接する斜レグ１１ａの頭部１１ａ”同士を直線でつなぐことにより描かれる正八角形が、水底側先端１１ａ’同士を直線でつなぐことにより描かれる正八角形よりも小さくなるように、斜レグ１１ａが配置されており、全体として概略円錐台が形成されるようになっている。
【００４０】
このように斜レグ１１ａが上方から見て八方向に延びているため、いろいろな方向に対して水平強度を有することとなり、より安定した基礎を実現することができる。
【００４１】
また、図１０に示すジャケット式基礎８００を、図１１に示すようなジャケット式基礎９００とすることもできる。
すなわち、放射状に八方向に延びる斜レグ１１ａと、これら斜レグ１１ａの略中央部に配置された四本の鉛直レグ１１ｂとから構成することもできる。
【００４２】
このように斜レグ１１ａが上方から見て八方向に延びているとともに、中央部に鉛直レグ１１ｂが配置されているため、いろいろな方向に対して水平強度を有するとともに支持力が増加させられることとなるので、より安定した基礎を実現することができる。
また、杭打ちを行う際に、先に斜杭１３ａをすべて打ってしまうことにより締め固め効果を得ることができるようになるので、後に打つ鉛直杭１３ｂの支持力を向上させることができる。
【００４３】
今まで述べてきた各レグ１１は、一本の中空円筒状を有するものであったが、図１２に示すように、ところどころ不連続となるものとすることもできる。
すなわち、連結部材１２と結合される部分以外のところが省略されるようなものであってもよい。
なお、図１２には斜レグ１１ａのみを示しているが、鉛直レグ１１ｂについても同様の構成とすることができる。
【００４４】
このように、各レグ１１が、上方に位置する連結部材１２と下方に位置する連結部材１２との間に不連続部１１ｃが形成されることにより、レグ１１自体の重量を大幅に減らすことができるとともに、ジャケット式基礎全体の重量を大幅に減らすことができて、コストを大幅に削減することができる。
【００４５】
【発明の効果】
本発明のジャケット式基礎によれば、以下の効果を奏する。
請求項１に記載のジャケット式基礎によれば、正面から見て斜レグが×（クロス）形となるように配置され、一方の斜レグの頭部の略真下近傍に他方の斜レグの水底側の先端が位置するようになっているので、ジャケット式基礎が水中においてしめる空間を減少させることができる。
したがって、水中にあるレグが、たとえば航路を航行する船舶等の障害となってしまうことを回避することができる。
【００４６】
請求項２に記載のジャケット式基礎によれば、斜レグ全体で鼓形が形成されているとともに、これら斜レグの水底側の先端が上方から見て概ね放射状に延在するように構成されているので、ジャケット式基礎が水中においてしめる空間を減少させることができる。
したがって、水中にあるレグが、たとえば航路を航行する船舶等の障害となってしまうことを回避することができる。
また、斜レグの水底側先端が上方から見て概ね放射状に延びているため、いろいろな方向に対して水平強度を有することとなり、より安定した基礎を実現することができる。
【００４７】
請求項３に記載のジャケット式基礎によれば、斜レグの水底側の先端が少なくとも上方から見て異なる四方向に向くように構成されているので、いろいろな方向に対して水平強度を有することとなり、より安定した基礎を実現することができる。
【００４８】
請求項４に記載のジャケット式基礎によれば、隣り合う斜レグ同士が互いに交差するように配置され、一方の斜レグの頭部の略真下近傍に他方の斜レグの水底側の先端が位置するようになっているので、ジャケット式基礎が水中においてしめる空間を減少させることができる。
したがって、水中にあるレグが、たとえば航路を航行する船舶等の障害となってしまうことを回避することができる。
【００４９】
請求項５に記載のジャケット式基礎によれば、斜レグの水底側の先端が上方から見て放射状に向くように構成されているとともに、これら斜レグに加えてさらに鉛直レグが具備されているので、いろいろな方向に対して水平強度を有するとともに、支持力が大幅に増加されたより一層安定した基礎を実現することができる。
【００５０】
請求項６に記載のジャケット式基礎によれば、斜レグの水底側の先端が少なくとも上方から見て異なる四方向に向くように構成されているとともに、これら斜レグに加えてさらに鉛直レグが具備されているので、いろいろな方向に対して水平強度を有するとともに、支持力が大幅に増加されたより一層安定した基礎を実現することができる。
【００５１】
請求項７に記載のジャケット式基礎によれば、連結部材と連結される部分にのみレグが存在し、それ以外の部分のレグは省略されることとなるので、レグ自体の重量を大幅に減らすことができるとともに、ジャケット式基礎全体の重量を大幅に減らすことができて、コストを大幅に削減することができる。
【図面の簡単な説明】
【図１】本発明によるジャケット式基礎の一実施形態を示す斜視図である。
【図２】図１のレグの配置状態を示す概略平面図である。
【図３】本発明によるジャケット式基礎の他の実施形態を示す斜視図である。
【図４】本発明によるジャケット式基礎の別の実施形態を示す斜視図である。
【図５】図４のレグの配置状態を示す概略平面図である。
【図６】本発明によるジャケット式基礎のさらに別の実施形態を示す図であって、レグの配置状態を示す概略平面図である。
【図７】本発明によるジャケット式基礎のさらに別の実施形態を示す図であって、レグの配置状態を示す概略平面図である。
【図８】本発明によるジャケット式基礎のさらに別の実施形態を示す図であって、レグの配置状態を示す概略平面図である。
【図９】本発明によるジャケット式基礎のさらに別の実施形態を示す図であって、レグの配置状態を示す概略平面図である。
【図１０】本発明によるジャケット式基礎のさらに別の実施形態を示す図であって、レグの配置状態を示す概略平面図である。
【図１１】本発明によるジャケット式基礎のさらに別の実施形態を示す図であって、レグの配置状態を示す概略平面図である。
【図１２】本発明によるジャケット式基礎のさらに別の実施形態を示す正面図である。
【図１３】従来のジャケット式基礎の一具体例を示す斜視図である。
【図１４】図１３のレグの配置状態を示す概略平面図である。
【符号の説明】
１０　　ジャケット式基礎
１１　　レグ
１１ａ　斜レグ
１１ａ’水底側の先端
１１ｂ　鉛直レグ
１１ｃ　不連続部
１２　　連結部材
１２’　連結部材
１３　　杭
１３ａ　斜杭
１３ｂ　鉛直杭
１００　　ジャケット式基礎
２００　　ジャケット式基礎
３００　　ジャケット式基礎
４００　　ジャケット式基礎
５００　　ジャケット式基礎
６００　　ジャケット式基礎
７００　　ジャケット式基礎
８００　　ジャケット式基礎
９００　　ジャケット式基礎
【図１】
2004044198.tif 000003
【図２】
2004044198.tif 000004
【図３】
2004044198.tif 000005
【図４】
2004044198.tif 000006
【図５】
2004044198.tif 000007
【図６】
2004044198.tif 000008
【図７】
2004044198.tif 000009
【図８】
2004044198.tif 000010
【図９】
2004044198.tif 000011
【図１０】
2004044198.tif 000012
【図１１】
2004044198.tif 000013
【図１２】
2004044198.tif 000014
【図１３】
2004044198.tif 000015
【図１４】
2004044198.tif 000016